(57)【特許請求の範囲】
【請求項１】
商品を陳列するための収納室を含む断熱性のショーケース装置であって、
前記収納室の周壁の少なくとも一部を形成する透光性の二重壁であって、互いに向かい合うように配置された透光性の２枚の板状部材を含む透光性の二重壁と、
前記透光性の二重壁により形成される間隙に、前記収納室の内部を照明するように配置された発光ダイオードとを有し、
前記透光性の二重壁は、前記収納室の前壁の少なくとも一部と、前記収納室の側壁の少なくとも一部とを含み、
前記発光ダイオードは、前記側壁の前記間隙に、前記発光ダイオードの光放射面が前記側壁の前記透光性の２枚の板状部材のうちの内側の板状部材に対し後方へ傾斜するように配置されている、ショーケース装置。
【請求項２】
請求項１において、前記側壁の前記透光性の２枚の板状部材のうちの内側の板状部材と、前記発光ダイオードの光放射面とのなす角度は２０°〜３０°である、ショーケース装置。
【請求項３】
請求項１または２において、前記発光ダイオードは、前記前壁と前記側壁とのコーナー部の近傍に配置されている、ショーケース装置。
【請求項４】
請求項３において、前記コーナー部の外側を覆うように設けられたブラケットをさらに有し、
前記発光ダイオードは、前記側壁の前記間隙であって、前記ブラケットにより覆われた部分に配置されている、ショーケース装置。
【請求項５】
請求項４において、前記ブラケットは金属製であり、
さらに、一方の端が前記ブラケットと熱的に接続し、前記ブラケットから前記間隙に延びた金属製の熱伝達部材を有し、
前記熱伝達部材の他方の端に前記発光ダイオードが取り付けられている、ショーケース装置。
【請求項６】
請求項５において、前記熱伝達部材は前記側壁の前記透光性の２枚の板状部材の間に配置され、前記側壁の前記透光性の２枚の板状部材のうちの外側の板状部材の端よりも内側に向って延びた部分と、前記外側の板状部材の端よりも外側に向って延びた部分と、前記内側に向って延びた部分と前記外側に向って延びた部分との間で前記外側の板状部材の端の内側の面に接する部分とを含む、ショーケース装置。
【請求項７】
請求項５において、前記ブラケットは、前記コーナー部の外側を覆う金属製の第１の部分と、前記第１の部分から前記側壁に沿って前記発光ダイオードの外側を覆う遮光性の第２の部分とを含み、前記第２の部分は前記第１の部分に対して着脱可能であり、
さらに、前記熱伝達部材は、一方の端が前記第１の部分と熱的に接続し、前記第１の部分から前記間隙に延びており、前記第２の部分を外すと前記熱伝達部材を前記第１の部分から取り外し可能な、ショーケース装置。
【請求項８】
請求項１ないし７のいずれかにおいて、前記収納室の内部に温風を供給するための温風供給ユニットをさらに有している、ショーケース装置。    
【発明の詳細な説明】
【技術分野】
【０００１】
本発明は、商品を陳列するための収納室を含む断熱性のショーケース装置に関するものである。
【背景技術】
【０００２】
特許文献１には、内部に商品を陳列するための収納室であって、透光性の窓と、この窓の縁の少なくとも一部に沿って設けられた透光性の隔壁とを含む収納室を有するショーケース装置が開示されている。このショーケース装置は、さらに、隔壁を挟んで収納室の室内と対向するように設けられた照明手段と、収納室とは反対側から照明手段を覆う遮光性のカバーとを有している。
【先行技術文献】
【特許文献】
【０００３】
【特許文献１】特開２００８−７３３３７号公報（段落番号０００４）
【発明の概要】
【発明が解決しようとする課題】
【０００４】
ショーケース装置においては、収納室の内部に陳列している商品が顧客から良好に視認できることが好ましい。このため、ショーケース装置においては、特許文献１に記載のように、収納室の内部を照明できるようにしているものがある。
【０００５】
一方で、ショーケース装置は、例えば、コンビニエンスストアなどの店舗において、商品を陳列および販売する際などに用いられる。この際、ショーケース装置は、典型的には、レジカウンタなどの限られたスペースに配置される。このため、ショーケース装置としては、収納室の内部を照明でき、しかも、小型のものが求められている。
【課題を解決するための手段】
【０００６】
本発明の一態様は、商品を陳列するための収納室を含む断熱性のショーケース装置である。このショーケース装置は、収納室の周壁の少なくとも一部を形成する透光性の二重壁であって、互いに向かい合うように配置された透光性の２枚の板状部材を含む透光性の二重壁により形成される間隙（隙間、空間）に、収納室の内部を照明するように配置された発光ダイオードとを有する。
【０００７】
コンビニエンスストアなどの店舗において用いられる小型のショーケース装置では、断熱性を確保するとともに、展示されている商品を顧客が見ることができるように透光性の板状部材を用いた二重壁が採用されることが多い。透光性の二重壁の２枚の板状部材の間は比較的狭く、例えば、１０ｍｍ程度あるいはそれ以下であり、さらに、二重壁はいったん組み立てられると分解されるようなものではない。本発明に係るショーケース装置においては、発光ダイオードを二重壁により形成される間隙に配置することにより、二重壁により形成される空間を照明設置スペースとして利用する。発光ダイオードは、蛍光灯などと比べて小型であり、透光性の二重壁により形成される空間に配置できる。
【０００８】
さらに、二重壁により形成される間隙に発光ダイオードを配置することにより、発光ダイオードが高温、高温多湿、低温などの収納室内部の条件に直に晒されないので、発光ダイオードの耐久性を確保できる。また、二重壁により形成される間隙を照明設置スペースとして利用するので、小型のショーケース装置であっても発光ダイオードにより収納室の内部を照明できる。発光ダイオードは寿命が長いので交換頻度は小さく、二重壁が分割できるものであってもよいが、二重壁の分解がそれほど容易でないショーケース装置であっても設置できる。
【０００９】
このショーケース装置において、透光性の二重壁が、収納室の前壁の少なくとも一部と、収納室の側壁の少なくとも一部とを含む場合、発光ダイオードは、側壁の間隙に配置することが好ましい。また、この場合、発光ダイオードは、その光放射面が側壁の透光性の２枚の板状部材のうちの内側の板状部材に対し後方へ傾斜するように配置する。
【００１０】
顧客が収納室の内部の商品を見ることが多いショーケース装置の前側（正面）はできるかぎり障害物がないことが好ましく、発光ダイオードは側壁側に配置することが望ましい。また、顧客が正面からショーケース装置の内部を見たときに顧客がまぶしさを感じる程度が小さくなるように、発光ダイオードは、光放射面を後方に向けて配置することが好ましい。例えば、側壁のうち、側壁と前壁とのコーナー付近は、ショーケース装置の内部を照明するのに適した位置である。
【００１１】
また、側壁の透光性の２枚の板状部材のうちの内側の板状部材と、発光ダイオードの光放射面とのなす角度θは、以下の条件を満たすことが好ましい。
【００１２】
２０°≦θ≦３０°・・・（１）
角度θが上記式（１）を下回ると正面から見たときに発光ダイオードからの光が不快または障害となってショーケース装置の内部が視認しにくい。角度θが上記式（１）を上回ると、ショーケース装置の内部、とくに、顧客に近い正面（前面）近傍の照度が不足し、商品を視認しにくくなる。さらに、角度θが上記式（１）を上回ると、二重壁を構成する板状部材のいずれかあるいは両方と、発光ダイオードとが干渉しやすくなり、発光ダイオードを二重壁により形成される間隙に配置しにくくなる。また、角度θが上記式（１）を下回るとショーケース装置をコンビニエンスストアなどの店舗のレジカウンタに配置した際に、レジカウンタの内側、すなわち、後方にいる店員が障害となるまぶしさを感じやすい。
【００１３】
さらに、発光ダイオードは、前壁と側壁とのコーナー部の近傍に配置することが好ましい。発光ダイオードからの光は、前方から斜め後方に向けて放射されるため、収納室の内部を明るく照明できる。また、発光ダイオードから放射される光が前側から収納室の内部を視認する顧客の目に入りにくい。さらに、顧客は、側方から収納室の内部を視認する場合もある。発光ダイオードをコーナー部の近傍に配置することにより、側方から収納室の内部を視認する場合であっても、発光ダイオードが視界を妨げるのを抑制できる。
【００１４】
このショーケース装置は、コーナー部の外側を覆うように設けられたブラケット（フレーム）をさらに有することが好ましい。この場合、発光ダイオードは、側壁の間隙であって、ブラケットにより覆われた部分に配置することが好ましい。発光ダイオード自体、および／または発光ダイオードから放射され、内側の透光性の板状部材に反射された光を外側から（例えば顧客から）見えにくくすることができる。また、このブラケットは、二重壁のコーナー部を損傷から保護する機能を果たす。
【００１５】
ブラケットは金属製であることが望ましく、熱伝達部材により発光ダイオードと熱的に接続されていることが望ましい。ブラケットを放熱部材として利用でき、発光ダイオードの寿命をさらに伸ばすことができる。熱伝達部材としては、一方の端がブラケットと熱的に接続し、ブラケットから側壁の間隙に延びた金属製の熱伝達部材であって、他方の端に発光ダイオードを取り付けるものが好ましい。
【００１６】
発光ダイオードは透光性の二重壁の２枚の板状部材の間に配置してもよい。この場合、熱伝達部材は、側壁の透光性の２枚の板状部材のうちの外側の板状部材の端よりも内側に向って延びた部分（側壁の透光性の２枚の板状部材の間に延びる部分）と、外側の板状部材の端よりも外側に向って延びた部分（外側の板状部材の端よりも外方に向って延びる部分）と、内側に向って延びた部分と外側に向って延びた部分との間で外側の板状部材の端の内側の面に接する部分とを含むことが好ましい。この熱伝達部材の一方の端は、典型的には、外側に向って延びた部分の端となる。また、この熱伝達部材の他方の端は、典型的には、内側に向って延びた部分の端となり、発光ダイオードは、内側に延びた部分の端に取り付けられる。
【００１７】
この熱伝達部材は、例えば、中間の接する部分を側壁の透光性の２枚の板状部材のうちの外側の板状部材にあててもよい。このようにすることにより、二重壁の内側のスペースの密封性を向上できる。それとともに、二重壁の内側と外側とを熱的に接続できる。したがって、発光ダイオードを熱伝達部材の他方の端、典型的には、内側に向って延びた部分の端に取り付けることにより、従来の二重壁と同様に２枚の板状部材をパッキンなどの部材により密封した状態で二重壁の内側に発光ダイオードを配置できる。
【００１８】
また、発光ダイオードは、分解点検が比較的容易な場所に設置することも可能である。たとえば、ブラケットが、コーナー部の外側を覆う金属製の第１の部分と、第１の部分から側壁に沿って発光ダイオードの外側を覆う遮光性の第２の部分とを含み、第２の部分を第１の部分に対して着脱可能であれば、熱伝達部材を一方の端が第１の部分と熱的に接続し、第１の部分から間隙に延ばすようにしてもよい。この熱伝達部材であればブラケットの第２の部分を外すと熱伝達部材を第１の部分から取り外しでき、発光ダイオードの交換が容易に行える。
【００１９】
このショーケース装置の一形態は、収納室の内部に商品を温蔵状態で陳列するものであり、収納室の内部に温風を供給するための温風供給ユニットをさらに有するものである。二重壁はそれぞれの板状部材の内外の温度差を抑制できるので結露防止に適しているが、発熱源となる発光ダイオードを二重壁の間隙に配置することにより内側の板状部材の表側の温度を露点よりも高くしやすく、内側の板状部材の表側の結露を抑制しやすい。このショーケース装置は、収納室の内部に商品を冷蔵状態で陳列するもの、すなわち、収納室の内部に冷風を供給するための冷風供給ユニットをさらに有するものであってもよい。
【図面の簡単な説明】
【００２０】
【図１】本発明の一実施形態にかかるショーケース装置を示す斜視図。
【図２】図１のショーケース装置を示す縦断面図。
【図３】図１のショーケース装置を示す横断面図。
【図４】図３の一部を拡大して示す図。
【図５】図１のショーケース装置の概略構成を示す図。
【図６】図６（ａ）は、発光ダイオードの取付け角度と、商品の視認性および顧客側からのまぶしさとの関係を示す図。図６（ｂ）は、発光ダイオードの取付け角度と各地点での照度との関係を示す図。
【図７】発光ダイオードの光放射パターンを示す図。
【図８】本発明の他の実施形態にかかるショーケース装置を一部分解して示す斜視図。
【図９】図８のショーケース装置の横断面図を一部拡大して示す図。
【図１０】図８のショーケース装置の横断面図を一部拡大して示す図であって、第２の部材および熱伝達部材を取り外した状態を示す図。
【発明を実施するための形態】
【００２１】
以下に、図面を参照して本発明の実施形態について説明する。図１は、本発明の一実施形態にかかるショーケース装置を斜視図により示している。図２は、図１のショーケース装置を、図１中のII−II線に沿って切断した縦断面図により示している。図３は、図１のショーケース装置を、図１中のIII−III線に沿って切断した横断面図により示している。
【００２２】
本例のショーケース装置１は、断熱性を有する、小型のショーケース装置である。このショーケース装置１は、典型的には高さ７００ｍｍ前後、幅４５０ｍｍ前後、奥行き５００ｍｍ前後であり、例えば、コンビニエンスストアなどの店舗において、レジカウンタＣなどの卓上に設置して使用されるサイズである。このショーケース装置１は、コンビニエンスストアなどの店舗において、加熱調理された食品を商品Ｍ（図５参照）として陳列および販売するのに好適な装置（ユニット）である。ショーケース装置１は、商品Ｍを陳列するショーケースとしての機能と、商品Ｍを保温（温蔵）する装置としての機能とを備えている。
【００２３】
ショーケース装置１は、商品Ｍを陳列するための収納室（陳列室）１１を含む上部分１０と、収納室１１の内部に温風を供給するための温風供給ユニット４０などを収納する機械室２１を含む下部分２０とを備えている。ショーケース装置１は、店舗内に設置したときに店舗の天井に向く上壁３１と、レジカウンタＣなどの床に向く下壁（底壁）３２と、上部分１０の収納室１１の周りを囲む周壁３３と、下部分２０の機械室２１の周りを囲む周壁３４と、収納室１１と機械室２１とを分ける隔壁３５とを有し、これらの壁３１〜３５により１つの筐体（ハウジング）３０が構成されている。
【００２４】
ショーケース装置１は、さらに、下部分２０の後方にホットプレート５１およびホットプレートカバー５２を備えている。したがって、食品をその場で加熱調理して商品Ｍとして陳列できる。なお、ホットプレート５１およびホットプレートカバー５２は省略することもできる。
【００２５】
収納室１１の周壁３３は、前壁６１と、左右の側壁６２Ｌおよび６２Ｒと、後壁をなすドア（扉）６３とを有している。前壁６１および左右の側壁６２Ｌおよび６２Ｒは、透光性の二重壁７１を含む。本例のショーケース装置１では、前方からショーケース装置１の収納室１１の内部が視認しやすいように、前壁６１は、上側が後方へ向かって傾斜している。このため、左右の側壁６２Ｌおよび６２Ｒはそれぞれ上部が狭い台形状である。したがって、収納室１１の内部（室内）１１ａは、下から上に向かうにしたがって狭くなっている空間である。
【００２６】
収納室内１１ａには、複数段、例えば、３段の陳列棚１２が設けられている。一番下の陳列棚１２は、隔壁３５の上に配置されている。これらの陳列棚１２は、それぞれ、後側が前側より若干高くなっており、陳列棚１２に陳列された商品Ｍが、透光性の二重壁７１を介して、前側（正面）から見やすいようになっている。
【００２７】
前壁６１は、ほぼ全域を覆う透光性（本例では透明）の二重壁７１を含む。左右の側壁６２Ｌおよび６２Ｒは、それぞれ、前側の部分を覆う透光性（本例では透明）の二重壁７１と、後側の部分を覆う不透明な断熱壁７９とを含む。前壁６１の二重壁７１および左右の側壁６２Ｌおよび６２Ｒの二重壁７１は、それぞれ、互いに向かい合うように配置された透光性の２枚の板状部材７２ａおよび７２ｂを含んでいる。二重壁７１、特に内側の板状部材７２ａはシール部材（パッキン）９５Ｌ、９５Ｒ、９６Ｌおよび９６Ｒによりシールされている。本例では、内側の板状部材７２ａが、より耐熱性の高いガラス板であり、外側の板状部材７２ｂは、透明なアクリル樹脂板である。板状部材７２ａおよび７２ｂをガラス板で構成してもよく、アクリル樹脂板で構成してもよい。
【００２８】
周壁３３は、さらに、前壁６１と側壁６２Ｌとのコーナー部６４Ｌを覆う金属性のブラケット（フレーム）６５Ｌと、前壁６１と側壁６２Ｒとのコーナー部６４Ｒを覆う金属性のブラケット（フレーム）６５Ｒとを含む。前壁６１は、上側が後退するように傾いているため、ブラケット６５Ｌおよび６５Ｒは、それぞれ、上方が後退する形状となっている。これらのブラケット６５Ｌおよび６５Ｒの内側の二重壁７１の間隙（すき間）７３に照明用のＬＥＤ９１が配置されている。
【００２９】
ドア６３は、スイングタイプ（開き戸タイプ）であり、外部に取手６３ａが取り付けられている。収納室１１の密閉性を高めるため、ドア６３と接する部分には、シール部材（パッキン）６６が設けられている。ドア６３は、不透明であってもよく、また、収納室１１の内部が店員などにより後方からも視認できるように、一部が透光性の窓になっていてもよい。
【００３０】
機械室２１の周囲を構成する周壁３４は、前壁と左右の側壁と後壁とを有し、機械室２１は略直方体状（ボックス状）に形成されている。前壁、左右の側壁、後壁は、いずれも不透明な壁となっており、機械室２１の内部は外から見えないようになっている。
【００３１】
機械室２１と収納室１１とを区切る隔壁３５には、後側のドア６３の手前の幅方向に延びたスリット状の第１の開口（吸引口）８１と、前壁６１の直後の複数の第２の開口（吹出口）８２とが設けられている。機械室２１の内部に温風供給ユニット４０が収納され、温風供給ユニット４０は、温風を収納室１１に供給するためのファン２２と、ファン２２の出口側（下流側）に配置されたヒータ２３とを備えている。ファン２２は、第１の開口８１から収納室内１１ａの空気を吸引し、下流のヒータ２３に向けて送風し、第２の開口８２から温風を収納室内１１ａに戻し、温風を収納室内１１ａで循環させ、収納室内１１ａを加温した状態で維持できるようにしている。本例では、ファン２２よりも上流側、例えば、第１の開口８１の近傍に、加湿タンク２４が配置されて、高温多湿の空気を、収納室内１１ａを循環させることにより、収納室内１１ａの湿度も商品Ｍに合わせて維持および／または管理できるようになっている。
【００３２】
図４に、図３に示した右側のコーナー部６４Ｒを部分的に拡大して示している。図５に、図１のショーケース装置１の概略構成を模式的に示している。左右の側壁６２Ｌおよび６２Ｒの一部を形成する透光性の二重壁７１の間（間隙）７３のそれぞれのコーナー部６４Ｌおよび６４Ｒの側には、複数（例えば３８個）の発光ダイオード（ＬＥＤ）９１が収納室内１１ａを向くように配置され、収納室１１の照明装置（照明手段）の一つとなっている。収納室内１１ａの照度が不足したり、影ができるのを抑制するために、異なる照明する手段を上壁３１などに設けてもよい。
【００３３】
前壁６１と側壁６２Ｌとのコーナー部６４Ｌの近傍と、前壁６１と側壁６２Ｒとのコーナー部６４Ｒの近傍とに配置されたＬＥＤ９１は、コーナー部６４Ｌおよび６４Ｒの外側に設けられたブラケット６５Ｌおよび６５Ｒにより覆われる。したがって、ショーケース装置１の外側から複数のＬＥＤ９１は見えにくく美観に優れている。さらに、ＬＥＤ９１の外側がブラケット６５Ｌおよび６５Ｒにより覆われるので、ＬＥＤ９１から出力される光が二重壁７１の内側の壁（板状部材）７２ａに反射しても、それが直に外側には漏れにくく、ショーケース装置１を外から見たときに眩しさを感じない、または感じにくい構成となっている。
【００３４】
ＬＥＤ９１の光放射面９１ａは、それぞれ、側壁６２Ｌおよび６２Ｒの透光性の２枚の板状部材７２ａおよび７２ｂのうちの内側の板状部材７２ａに対し、後方へ傾斜するように配置されている。より具体的には、ＬＥＤ９１は、それぞれの光放射面９１ａが、側壁６２Ｌおよび６２Ｒの二重壁７１の内側の板状部材７２ａに対し、後方が広がるように傾いて配置されており、ＬＥＤ９１の光放射面９１ａと内側の板状部材７２ａの表面とのなす角度θが２０°〜３０°となるように配置されている。また、上述のように、前壁６１が、下から上に向かうにしたがって前から後に傾いているため、ＬＥＤ９１は、前壁６１の傾きに沿って、それぞれの光放射面９１ａが若干下側を向く。したがって、両コーナー部６４Ｌおよび６４Ｒに配置された各ＬＥＤ９１から、収納室内１１ａに向かって斜め後方下側に光が照射され、収納室内１１ａの商品Ｍを効率よく照明でき、さらに、前方から見ても光が目に入りにくく、横から見ても光が目に入りにくく、どちらから見ても眩しくないまたは眩しさが抑制されるようになっている。
【００３５】
図４に拡大して示しているように、各ＬＥＤ９１は、熱伝達率の高い金属製、たとえばアルミニウム製の熱伝達部材９２Ｌおよび９２Ｒを介して左右のブラケット６５Ｌおよび６５Ｒに熱的に接続され、各ＬＥＤ９１の熱が放出されやすいようになっている。すなわち、二重壁７１の間隙７３の前壁６１と側壁６２Ｒとの右側のコーナー部６４Ｒの近傍には、金属製の熱伝達部材９２Ｒが挿入されており、熱伝達部材９２Ｒの一方の端９３ａが右側のブラケット６５Ｒと接続されている。熱伝達部材９２Ｒの他方の端９３ｂは透光性の２枚の板状部材７２ａおよび７２ｂの間７３に延びており、他方の端９３ｂにＬＥＤ９１が取り付けられている。したがって、ＬＥＤ９１は熱伝達部材９２Ｒを介してブラケット６５Ｒと熱的に接続されており、ＬＥＤ９１において発せられる熱を、熱伝達部材９２Ｒを介してブラケット６５Ｒに伝え、外部に放出できる。このため、ＬＥＤ９１は、透光性の２枚の板状部材７２ａおよび７２ｂの間７３に配置されているが、その熱を、熱伝達部材９２Ｒを介して逃がすことにより過熱を避け、十分な寿命を確保できるようにしている。
【００３６】
左側のコーナー部６４Ｌにおいても同様であり、ＬＥＤ９１は、金属製の熱伝達部材９２Ｌにより左側のブラケット６５Ｌと熱的に接続され、ＬＥＤ９１において発せられる熱を、ブラケット６５Ｌから外部に適度に放熱できる。
【００３７】
さらに、熱伝達部材９２Ｌおよび９２Ｒは、多段に折り曲げられた構成を備えている。左右の熱伝達部材９２Ｌおよび９２Ｒは対称な形状になるので、以下では図４を参照しながら右側の熱伝達部材９２Ｒに基づき説明する。熱伝達部材９２Ｒは、内側から５つの部分９４ｂ、９４ｓ、９４ｕ、９４ｔ、９４ａに分けることができる。第１の部分９４ｂは、ＬＥＤ９１が取り付けられた端９３ｂを含み、ＬＥＤ９１の光放射面９１ａの角度を調整するように傾いた部分である。第２の部分９４ｓは、傾いた部分９４ｂから右側（外側）に折り返された部分であって、二重壁７１を構成する外側の板状部材７２ｂの端７２ｔよりも内側に向って延びた部分（板状部材７２ａおよび７２ｂの間７３に延びる部分）である。第３の部分９４ｕは、延びた部分９４ｓから左側（内側）に折り返された部分であって、外側の板状部材７２ｂの端７２ｔの内側の面に接する部分である。第４の部分９４ｔは、接する部分９４ｕから右側（外側）に折り返された部分であって、外側の板状部材７２ｂの端７２ｔよりも外側に向って延びた部分（外側の板状部材７２ｂの端７２ｔよりも外方に向って延びる部分）である。第５の部分９４ａは、延びた部分９４ｔから左側（内側）に折り返された部分であってブラケット６５Ｒに接続される端９３ａを含み、ブラケット６５Ｒに接するように延びた部分である。外側の板状部材７２ｂの端７２ｔの内側の面に接する部分９４ｕは、内側に向って延びた部分９４ｓと外側に向って延びた部分９４ｔとの間で、側壁６２Ｒと平行になるように加工された部分である。
【００３８】
この熱伝達部材９２Ｒは、まず、コーナー部分をシールするパッキン９５Ｒと、外側の板状部材７２ｂとにより、熱伝達部材９２Ｒの第３の部分９４ｕを挟み込むことで、外側の板状部材７２ｂの端７２ｔに沿って支持できる。パッキン９５Ｒは、側壁６２Ｒおよび前壁６１の二重壁７１をそれぞれ構成する板状部材７２ａおよび７２ｂのコーナー部分を支持するとともに、それらの間７３を密封する部材である。パッキン９５Ｒの構成は本例に限定されず、複数のパーツから構成することも可能である。
【００３９】
熱伝達部材９２Ｒの第３の部分９４ｕは、外側の板状部材７２ｂの端７２ｔの内側の面に接するように加工された部分であり、パッキン９５Ｒと外側の板状部材７２ｂとで挟み込むことができ、挟み込むことにより熱伝達部材９２Ｒの位置および角度を決めることができる。さらに、熱伝達部材９２Ｒの第３の部分９４ｕは、外側の板状部材７２ｂの端７２ｔの内側の面に密着するので、パッキン９５Ｒとともに、内側の板状部材７２ａと外側の板状部材７２ｂとの空間（間隙）７３を密封できる。逆に言うと、熱伝達部材９２Ｒは、パッキン９５Ｒを介して外側の板状部材７２ｂを支持する部材を兼ね、ブラケット６５Ｒと熱伝達部材９２Ｒとにより、外側の板状部材７２ｂを挟み込んで固定している。
【００４０】
このように熱伝達部材９２Ｒは、ＬＥＤ９１を固定する支持部材を兼ね、熱伝達部材９２Ｒにより、ＬＥＤ９１を、二重壁７１の間隙７３の密封性をほとんど損なわずに、間隙７３のコーナー側に挿入し、所定の角度で光が放出されるように固定できる。さらに、熱伝達部材９２Ｒにより、二重壁７１の間隙７３の密封性をほとんど損なわずに、二重壁７１の間隙７３の中のＬＥＤ９１とブラケット６５Ｒとを熱的に接続でき、ＬＥＤ９１からの熱を外界に放出できる。
【００４１】
図６（ａ）に、ショーケース装置１におけるＬＥＤ９１の取付け角度θと、商品Ｍの視認性および前方（顧客側）からのまぶしさとの関係を示している。図６（ｂ）に、ショーケース装置１におけるＬＥＤ９１の取付け角度θと、収納室内１１ａの各地点での照度との関係を示している。図７に、ＬＥＤ９１の光放射パターンを示している。なお、図６（ｂ）の測定位置は、上段、中段および下段の各陳列棚１２の図５における点Ｐ１およびＰ２の位置である。
【００４２】
図７に示すように、ＬＥＤ９１から放射される光はある程度の指向性を備えている。このため、内側の板状部材７２ａに対するＬＥＤ９１の取付け角度θにより、収納室１１の内部、特に陳列した商品Ｍの前端部分に影ができたり、前方から顧客が収納室１１を見たときにまぶしさを感じさせるおそれがある。
【００４３】
本願発明者の測定によれば、図６の（ａ）および（ｂ）に示すように、取付け角度θが３０°以下であれば、収納室内１１ａに陳列された食材（商品）Ｍの前端（先端）に影ができにくいことがわかった。取付け角度θが３０°を超えると、収納室内１１ａの内部に陳列された食材Ｍの前端部分に影ができやすい。
【００４４】
一方、取付け角度θが２０°未満では、前側から収納室内１１ａの食材Ｍを視認する人物（顧客）がまぶしさを感じ、特に、視線の向きを変えたくなるような不快な眩しさを感じる可能性がある。取付け角度θが２０°以上であれば、前側から収納室内１１ａの食材Ｍを視認する場合、まぶしさを殆ど感じないか、または視線の向きを変えたくなるような不快な眩しさは感じないことがわかった。したがって、取付け角度θが２０°〜３０°であれば、前側から収納室１１の内部を視認する顧客にまぶしさを感じさせることなく、収納室１１の内部の商品Ｍ全体を良好に照明できる。このため、取付け角度θは以下の式を満たすことが望ましい。
２０°≦θ≦３０°・・・（１）
【００４５】
また、図６（ｂ）に示すように、この角度範囲であれば、収納室内１１ａの前方の各点Ｐ１およびＰ２における照度の低下はほぼ５％程度であり、ＬＥＤ９１からの光により効率よく収納室内１１ａを照明できている。
【００４６】
さらに、取付け角度θが３０°を超えると、ＬＥＤ９１の傾きが大きくなり、ＬＥＤチップのサイズによっては二重壁７１の間隙７３に収まりにくくなる可能性がある。ＬＥＤ９１が内側の透光性の板状部材７２ａに接触すると、収納室内１１ａの熱が板状部材７２ａを介してＬＥＤ９１に伝わり、ＬＥＤ９１の温度が上昇し、ＬＥＤ９１が過熱する可能性があるので好ましくない。
【００４７】
以上のように、本例のショーケース装置１においては、ガラス板またはアクリル板などの透光性の板状部材７２ａおよび７２ｂを用いた、断熱性能の高い透光性の二重壁７１の間隙７３にＬＥＤ９１を配置し、収納室内１１ａを照明している。したがって、照明（ＬＥＤ）を配置するための専用のスペースが不要となり、コンビニエンスストアなどの店舗において用いられるコンパクトなショーケース装置であって、照明と、断熱性とを備えたショーケース装置を提供できる。断熱性の二重壁にＬＥＤを収納するタイプの照明は、卓上型のショーケース装置に限らず、壁面収納タイプで透明な扉を開け閉めするようなタイプのショーケース装置にも適用可能であり、扉を開けたときにＬＥＤ照明が眩しい場合は、扉と連動してＬＥＤをオンオフすることで眩しさは回避できる。
【００４８】
透光性の二重壁７１の２枚の板状部材の間７３は比較的狭く、例えば、１０ｍｍ程度あるいはそれ以下であり、さらに、二重壁７１はいったん組み立てられると分解されるようなものではないので、照明などの用途と兼用されることはほとんどない。しかしながら、ＬＥＤ照明であれば狭いスペースに組み込むことが可能であり、さらに、ＬＥＤ９１は寿命が長いので交換頻度は小さく、分解する機会のほとんどない二重壁７１の間７３にも無理なく組み込みできる。さらに、二重壁７１の間隙７３に組み込まれたＬＥＤ９１は、収納室内１１ａの高温多湿の状態または極低温の状態などのＬＥＤ９１の性能を維持するのには厳しい条件に直に晒されない。したがって、二重壁７１の内側の板状部材７２ａを介して長期間にわたり、効率よく収納室内１１ａを照明できる。
【００４９】
さらに、二重壁７１の間隙７３にＬＥＤ９１を配置することにより、二重壁７１の内側の板状部材７２ａの表面をＬＥＤ９１の熱によりある程度加熱できるという効果が得られる。収納室内１１ａが高温多湿となる温蔵タイプのショーケース装置１の場合、外気との温度差と収納室内１１ａの多湿とにより二重壁７１の板状部材７２ａの内側表面が結露するケースがある。二重壁７１の間隙７３にＬＥＤ９１を配置することにより、間隙７３の温度を若干でも高くすることが可能であり、二重壁７１の板状部材７２ａの内側表面が結露するのを抑制でき、クリアーな視野を得ることができる。
【００５０】
また、冷凍サイクルまたは冷却ユニットを備えた冷蔵タイプのショーケース装置においては、間隙７３に残った水分や、リークにより侵入した水分が温度差により二重壁７１の内側の板状部材７２ａの表面が結露するケースもあり、二重壁７１の間隙７３には手が入らないので結露を除去することができない。二重壁７１の間隙７３にＬＥＤ９１を配置することで、間隙７３の温度を若干でも上げることが可能であり、二重壁７１の内側の板状部材７２ａの表面が結露するのを抑制でき、さらにクリアーな視野を得ることができる。
【００５１】
また、二重壁７１の間隙７３にＬＥＤ９１を配置することで、間隙７３の温度を上げるので、保温効果が得られやすい。したがって、本例のショーケース装置１のように、温蔵タイプのショーケース装置に適している。一方、熱伝達部材９２Ｌおよび９２Ｒにより、ＬＥＤ９１の発熱はブラケット６５Ｌまたは６５Ｒあるいはフレームなどを介して外部に放出することができる。したがって、冷凍サイクル、冷却ユニットなどを備えた冷蔵タイプのショーケース装置にも本発明は適用できる。それとともに、ＬＥＤ９１の過熱を抑制できるので、ＬＥＤ９１の寿命が短くなるのを抑制できる。
【００５２】
さらに、ＬＥＤ９１を、二重壁７１の間隙７３の側面前方のコーナー部に若干後方を向くように配置することにより、収納室内１１ａを良好に照明でき、また、前方に漏れる光の量を抑制して眩しさを低減できる。また、ＬＥＤ９１の光放射面９１ａを、前壁６１の傾きに沿って若干下側に向けることによりさらに眩しさを抑制できる。ＬＥＤ９１の光放射面９１ａが下側を向くように配置することにより、前方以外における眩しさ、たとえば、レジに並んだ顧客や、レジカウンタＣの内側や後方にいる店員などに対する眩しさも抑制でき、収納室内１１ａが明るく見やすいショーケース装置１を提供できる。
【００５３】
また、ＬＥＤ９１をコーナー部６４Ｌおよび６４Ｒの近傍に設け、これをブラケット６５Ｌおよび６５Ｒで覆っているため、ＬＥＤ９１自体およびＬＥＤ９１から放射される光を外側から（例えば顧客から）見えにくくすることができる。そして、プロテクタであるブラケット６５Ｌおよび６５ＲとＬＥＤ９１との間に熱伝達部材９２Ｌおよび９２Ｒを設けているため、発光ダイオード９１において発せられる熱を、熱伝達部材９２Ｌおよび９２Ｒを介して、プロテクタであるブラケット６５Ｌおよび６５Ｒから外部に適度に放熱できる。
【００５４】
さらに、本例においては、ブラケット６５Ｌおよび６５Ｒに沿って、収納室１１の内部に上下方向に複数のＬＥＤ９１を配置し、上下方向に長い照明装置を構成し、収納室内１１ａを側方から照明している。たとえば、収納室内１１ａの上部に、左右方向に延びるような照明装置の場合、収納室１１の下側は、陳列棚１２の影ができやすく、商品Ｍが見えにくくなることがある。これ対し、本例のショーケース装置１では、発光源であるＬＥＤ９１が上下方向に延びるように配置されているため、陳列棚１２の影は生じにくく、収納室１１の内部全体を良好に照明できる。
【００５５】
図８は、本発明の他の実施形態にかかるショーケース装置を一部分解して斜視図により示している。図９および図１０は、図８のショーケース装置の横断面図を一部（右側のコーナー部の近傍）拡大して示している。図９は、第２の部材および熱伝達部材を取り付けた状態で示しており、図１０は、第２の部材および熱伝達部材を取り外した状態で示している。
【００５６】
このショーケース装置１のブラケット６５Ｌおよび６５Ｒは、それぞれ、コーナー部６４Ｌおよび６４Ｒの外側を覆う金属製の第１の部分６９ａと、この第１の部分６９ａから側壁６２Ｌおよび６２Ｒに沿ってＬＥＤ９１の外側を覆うように延びる遮光性の第２の部分６９ｂとを含む。そして、第２の部分６９ｂは第１の部分６９ａに対して着脱可能であり、熱伝達部材９２Ｒを取り外せるようになっている。そのため、上記のショーケース装置においては、側壁６２Ｒの透光性の二重壁７１を構成する外側の板状部材７２ｂの端７２ｔがコーナーのパッキン９５Ｒに接するように延びていたのに対し、このショーケース装置１においては、外側の板状部材７２ｂの端７２ｔは熱伝達部材９２Ｒが着脱できる空間ができるように後方に後退してパッキン９５Ｒより離れている。そして、熱伝達部材９２Ｒは、二重壁７１の隙間７３が延長され、二重壁７１の透光性の内側の板状部材７２ａと遮光性のブラケットの第２の部分６９ｂとにより形成される隙間７３に配置されている。なお、左側のコーナー部６４Ｌの構成と右側のコーナー部６４Ｒの構成とは共通するので、右側のコーナー部６４Ｒを代表して説明している。以降においても同様である。
【００５７】
まず、このショーケース装置１は、上壁３１の先端を構成する部材３１ａを有し、この部材３１ａが上壁３１の本体部分３１ｂに対してねじ３９により着脱でき、部材３１ａがブラケット６５Ｒの取り外し可能な第２の部分６９ｂを本体部分３１ｂに固定するストッパとしての機能を含んでいる。
【００５８】
ブラケット６５Ｒの第１の部分６９ａおよび第２の部分６９ｂは遮光性の熱伝達率の高い部材、たとえばアルミニウムなどの金属により構成されている。コーナー部６４Ｒを構成する第１の部分６９ａは、その後端６７ａおよび６７ｂが内側にクランクするように２段に曲げられている。第２の部分６９ｂは板状に延びた部分６７ｄと内側に曲げられた前端６７ｃとを含む。前端６７ｃは、第１の部分６９ａの内側にクランクした後端６７ａおよび６７ｂに入るように曲げられており、前端６７ｃの内面にパッキン６８が取り付けられている。第２の部分６９ｂの板状に延びた部分６７ｄは二重壁７１の外側の透光性の板状部材７２ｂの前端７２ｔを超え、板状部材７２ｂと一部重複するように延びている。このため、ブラケット６５Ｒの第２の部分６９ｂと、二重壁７１の内側の透光性の板状部材７２ａとにより、透光性の板状部材７２ａおよび７２ｂにより形成された間隙７３の一部となり、連通した間隙が形成される。
【００５９】
第２の部分６９ｂは、コーナー部６４Ｒに沿って上下に長い部材であり、下端６７ｅを本体のショーケース装置１の下部分２０に設けられたスリットに挿入し、上端６７ｆを先端部材３１ａによりショーケース装置１の上壁３１に取り付けることにより、ブラケット６５Ｒの第１の部分６９ａに密着するように取り付けできる。周壁３３の二重壁７１の間隙７３の気密性はパッキン６８により保持でき、ブラケット６５Ｒの熱伝達性は、第１の部分６９ａのクランクした後端６７ａおよび６７ｂと第２の部分６９ｂの前端６７ｃとが物理的に接触することで維持できる。
【００６０】
さらに、熱伝達部材９２Ｒの一方の端９３ａを、第１の部分６９ａのクランクした平坦な後端６７ｂと第２の部分６９ｂの前端のパッキン６８とで挟みこむことにより熱伝達部材９２Ｒをブラケット６５Ｒに取り付けることができ、熱伝達部材９２を二重壁７１により形成されるコーナー部６４Ｒ近傍の間隙７３に配置できる。また、熱伝達部材９２Ｒが金属製のブラケット６５Ｒと接触するので、熱伝達部材９２Ｒの他方の端９３ｂに取り付けられたＬＥＤ９１の熱を、ブラケット６５Ｒを介して外部に放出できる。
【００６１】
金属製の熱伝達部材９２Ｒは、一方の端９３ａがブラケット６５Ｒの第１の部分６９ａと熱的に接続し、この第１の部分６９ａから側壁６２Ｒの二重壁７１により形成される間隙に延びるよう設けられている。そして、熱伝達部材９２Ｒの他方の端９３ｂにＬＥＤ９１が取り付けられている。
【００６２】
金属製、たとえばアルミニウム製またはステンレススチール製の熱伝達部材９２Ｒは、３つの部分９９ｂ、９９ｓ、９９ａを含む。後方の部分９９ｂは上記の実施形態の熱伝達部材の第１の部分９４ｂに相当し、ＬＥＤ９１が取り付けられた端９３ｂを含み、ＬＥＤ９１の光放射面９１ａの角度を調整するように傾いている。中間の部分９９ｓは、後方の傾いた部分９９ｂから外側に折り返された部分であり、前側に延びている。前方の部分９９ａは、上記の実施形態の熱伝達部材の第５の部分９４ａに相当し、中間の部分９９ｓから内側に折り返された部分である。この前方の部分９９ａは、ブラケット６５Ｒの第１の部分６９ａに物理的および熱的に接する端９３ａを含む。
【００６３】
このショーケース装置１においても、ＬＥＤ９０から発せられた熱は、熱伝達部材９２Ｒを介してブラケット６５Ｒの第１の部分６９ａに伝わり、放熱される。さらに、ブラケット６５Ｒの第１の部分６９ａと第２の部分６９ｂとは熱的に接しているので、ＬＥＤ９０から発せられた熱はブラケット６５Ｒの第２の部分６９ｂなどからも放熱される。
【００６４】
さらに、このショーケース装置１においては、ブラケット６５Ｒの第１の部分６９ａから第２の部分６９ｂを取り外すことにより、熱伝達部材９２ＲとともにＬＥＤ９０をショーケース装置１から容易に取り外すことができる。したがって、ＬＥＤ９０に何らかの不具合が発生したときは容易に交換できる。また、汚れなどがＬＥＤ９０に付着した場合であっても容易にＬＥＤ９０をメンテナンスでき、常に、ショーケース装置１の内部の商品をＬＥＤ９０により明るく照明できる。
【符号の説明】
【００６５】
１  ショーケース装置、  １１  収納室、  ３３  周壁
４０  温風供給ユニット、  ６１  前壁、  ６２Ｌ、６２Ｒ  側壁
６４Ｌ、６４Ｒ  コーナー部、  ６５Ｌ、６５Ｒ  ブラケット
６９ａ  ブラケットの第１の部分、  ６９ｂ  ブラケットの第２の部分
７１  二重壁、  ７２ａ  内側の板状部材、  ７２ｂ  外側の板状部材
９１  発光ダイオード（ＬＥＤ）、  ９１ａ  光放射面
９２Ｌ、９２Ｒ  熱伝達部材
【図１】
0005612981.tif 000002
【図２】
0005612981.tif 000003
【図３】
0005612981.tif 000004
【図４】
0005612981.tif 000005
【図５】
0005612981.tif 000006
【図６】
0005612981.tif 000007
【図７】
0005612981.tif 000008
【図８】
0005612981.tif 000009
【図９】
0005612981.tif 000010
【図１０】
0005612981.tif 000011